(57)【要約】少なくとも１つの基地局（１０２）を有する無線システム（１０３）で動作する端末（ＵＥ  １０１）が、近傍の無線システム内の基地局（１０２ｂ、１０４ｂ、１０５ｂ）と通信し、それら近傍の無線システムに関する情報を自身の無線システム（１０３）の基地局（１０２ｂ）に伝達する。これにより、ＵＥのハンドオーバーに使用されるその情報が更新され、記憶される。ＢＳはさらに、（ＷＬＡＮＳ、Ｂｌｕｅｔｏｏｔｈ、ＵＭＴＳ、ＧＰＲＳなど様々なシステムが含まれうる）近傍の無線システムの基地局から更新を直接取得でき、ＵＥに対し、リストの提供によってＢＳに更新を提供する必要がない無線システムのリストを提供できる。
2005531982.tif 000002
【特許請求の範囲】
【請求項１】
基地局（ＢＳ）と少なくとも１つの端末（ＵＥ）とを有する無線通信システムにおいて、近傍の様々なタイプの無線システムに関係する情報を収容しているシステムデータベースを更新する方法であって、
前記ＵＥが近傍の様々なタイプの無線システムを検出し、
前記ＵＥが、検出したシステムの情報を前記基地局に送信し、
前記ＢＳが前記情報に基づいて前記システムデータベース情報を更新することを含むことを特徴とする方法。
【請求項２】
前記ＵＥは、様々な無線アクセステクノロジを有する近傍の無線システムを検出することを特徴とする請求項１に記載の方法。
【請求項３】
前記ＵＥは、同じ無線システム内の様々な位置領域にある近傍の無線システムを検出することを特徴とする請求項１に記載の方法。
【請求項４】
前記ＵＥは、前記ＢＳの無線通信システムのカバレージに重なるカバレージを提供する近傍の無線システムを検出することを特徴とする請求項２に記載の方法。
【請求項５】
前記ＵＥは、カバレージが部分的に重なっているシステムを検出することを特徴とする請求項４に記載の方法。
【請求項６】
前記ＵＥは、カバレージが完全に重なっているシステムを検出することを特徴とする請求項４に記載の方法。
【請求項７】
前記ＵＥは、前記ＢＳの無線通信システムのカバレージに重ならないカバレージを提供する近傍の無線システムを検出することを特徴とする請求項２に記載の方法。
【請求項８】
前記ＵＥは、近傍の無線システムの少なくとも１つの基地局の位置を含む情報を送信することを特徴とする請求項１に記載の方法。
【請求項９】
前記ＵＥは、前記他の無線システムのトラフィック荷重を含む情報を送信することを特徴とする請求項１に記載の方法。
【請求項１０】
前記ＵＥは、様々な無線アクセステクノロジを有するシステムと通信することを特徴とする請求項１に記載の方法。
【請求項１１】
前記ＵＥは、他の無線システムの無線アクセステクノロジを含む情報を前記ＢＳに提供することを特徴とする請求項１０に記載の方法。
【請求項１２】
前記ＵＥは、前記他の無線システムの信号電力レベルを含む情報を送信することを特徴とする請求項１に記載の方法。
【請求項１３】
前記ＵＥは、前記ＵＥの地理的位置を含む情報を送信することを特徴とする請求項１に記載の方法。
【請求項１４】
前記ＵＥは、前記ＵＥならびに他のＵＥの地理的位置を含む情報を送信することを特徴とする請求項１に記載の方法。
【請求項１５】
前記ＵＥは、前記ＢＳによって認証されることに対して前記情報を送信することを特徴とする請求項１に記載の方法。
【請求項１６】
前記ＵＥは、前記情報をメッセージ認証コードとともに送信することを特徴とする請求項１に記載の方法。
【請求項１７】
前記ＵＥは、前記ＢＳに送信する情報を暗号化することを特徴とする請求項１に記載の方法。
【請求項１８】
前記システムの基地局が隣接の無線システムの基地局と所定の間隔で通信して、前記ＵＥから提供されたデータベース情報更新の妥当性を検査することをさらに含むことを特徴とする請求項１に記載の方法。
【請求項１９】
前記基地局が、前記基地局の認識している周辺のシステムに関して前記ＵＥに警告して、複数のＵＥが同様の情報を送信することによるトラフィックを減らすことをさらに含むことを特徴とする請求項１に記載の方法。
【請求項２０】
前記受信側ＵＥが、近傍の基地局についての報告を、前記受信側ＵＥと関連付けられている基地局から受信した前記警告に含まれない基地局に限定することを特徴とする請求項１９に記載の方法。
【請求項２１】
前記基地局は、近傍の様々なタイプの無線システムに関する情報を報告する前記ＵＥの位置を処理して、前記近傍の無線システムのカバレージを見積もることを特徴とする請求項１に記載の方法。
【請求項２２】
前記基地局は、前記近傍の無線システムのカバレージ見積もりを用いて、前記基地局での操作パラメータを調整することを特徴とする請求項２１に記載の方法。
【請求項２３】
前記操作パラメータは、送信電力、ビーム形状、およびアドミッション制御ポリシーのうちの少なくとも１つを含むことを特徴とする請求項２２に記載の方法。
【請求項２４】
前記基地局は、新しいセルの計画のためにカバレージ見積もりを用いることを特徴とする請求項２１に記載の方法。
【請求項２５】
基地局（ＢＳ）と、少なくとも１つの、周辺の様々なタイプの無線システムを検出できるＵＥとを有する無線通信システムにおいて、周辺の様々なタイプの無線システムに関係する情報を収容しているシステムデータベースを更新する方法であって、
前記基地局が近傍の無線システムの更新を、近傍の無線システムのＵＥおよび基地局から取得し、
前記ＢＳが自身のデータベース情報を更新し、
前記ＢＳが、ＵＥに対し、前記ＵＥが更新情報を提供すべきでない無線システムを含むリポートを送信することを含むことを特徴とする方法。
【請求項２６】
基地局（ＢＳ）と、少なくとも１つの、周辺の様々なタイプの無線システムを検出できるＵＥとを有し、周辺の様々なタイプの無線システムに関係する情報を収容しているシステムデータベースを更新する無線通信システムであって、
前記ＢＳが、前記ＵＥのＩＤを認証する手段を有し、
前記ＵＥが、前記ＢＳから送信された情報を、情報の保全性のために認証コードを用いて保護エンコードする手段を有し、
前記基地局での情報の保全性を検査し、前記基地局での前記情報を受け入れる手段と、
前記システムデータベース情報を更新する手段とを備えることを特徴とするシステム。
【請求項２７】
周辺の無線システムの基地局と所定の間隔で通信して、前記ＵＥから提供されたデータベース情報更新の妥当性を検査する手段を有する前記基地局をさらに備えることを特徴とする請求項２６に記載のシステム。
【請求項２８】
前記基地局が認識している周辺のシステムに関して前記ＵＥに警告して、複数のＵＥが同様の情報を送信することによるトラフィックを減らす手段を有する前記基地局をさらに備えることを特徴とする請求項２６に記載のシステム。
【請求項２９】
近傍の基地局についての報告を、前記受信側ＵＥと関連付けられている基地局から受信した前記警告に含まれない基地局に限定する手段が前記受信側ＵＥに提供されることを特徴とする請求項２８に記載のシステム。
【請求項３０】
基地局（ＢＳ）と、少なくとも１つの、周辺の様々なタイプの無線システムを検出できるＵＥとを有し、周辺の様々なタイプの無線システムに関係する情報を収容しているシステムデータベースを更新する無線通信システムであって、
近傍の無線システムの更新を、近傍の無線システムのＵＥおよび基地局から取得する手段と、
自身のデータベース情報を更新する手段と、
ＵＥに対し、前記ＵＥが更新情報を提供すべきでない無線システムを含むリストを送信する手段とを有する前記基地局を備えることを特徴とするシステム。
【発明の詳細な説明】
【技術分野】
【０００１】
本発明は、無線通信システムに関する。詳細には、本発明は、端末（ｕｓｅｒ  ｅｑｕｉｐｍｅｎｔ）（ＵＥ）のハンドオーバーのための情報のデータベース処理に関する。
【背景技術】
【０００２】
無線通信システムの端末（ＵＥ）が、複数の無線システム（（ＷＬＡＮ、）Ｂｌｕｅｔｏｏｔｈ（登録商標）（無線ネットワークの登録商標）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｅｎｅｒａｌ  Ｐａｃｋｅｔ  Ｒａｄｉｏ  Ｓｅｒｖｉｃｅ（ＧＰＲＳ）など）を介してインターネット／公衆サービス電話網（ＰＳＴＮ）にアクセスする機能を提供し始めている。そこで、ＵＥを１つのテクノロジから別のテクノロジにハンドオーバーさせるために、これらのシステムを相互に連係させる必要性が高まりつつある。
【０００３】
無線通信システムの基地局は、ハンドオーバーを支援するために、外部システムに関係する情報をＵＥへ中継することができる。したがって、基地局は、他のシステムに関する情報を保持し、常に最新にしておく必要がある。別のシステムに関する情報の取得は、ローミング協定の下、セキュリティ保護されたシステム間接続を通じて（たとえば、ＩＰクラウドを介して）可能である。ただし、他のシステムに関するそのような情報を維持し、最新に保つことは、配備上、困難である。
【発明の開示】
【発明が解決しようとする課題】
【０００４】
そこで、この目的のために基地局が、明示的なシステム間接続および通信を必要とせずに、外部システム情報を供給するのを支援する代替ソースが必要である。
【課題を解決するための手段】
【０００５】
本発明は、近傍の無線システムに関連するデータを取得および更新する手法を用いる。
【発明を実施するための最良の形態】
【０００６】
図１は、関連付けられた基地局（ＢＳ）１０２ｂを有する無線システム１０２において動作し、さらに周辺の複数の無線システム１０３〜１０５を検知することも可能なマルチモードＵＥ  １０１を示す。ＵＥ  １０１は、無線システム１０３〜１０５からの情報を検知すると、ただちに、システム１０３〜１０５の現在の情報をＢＳ  １０２ｂに送信する。ＢＳ  １０２ｂは、その、ＵＥ  １０１からの新しい情報に基づいて、自身のデータベースを更新できる。同様に、その後のＵＥ  １０１の他の基地局へのハンドオーバーによって、基地局データベースを更新することができる。たとえば、無線システム１０３へのハンドオーバーの後、ＵＥ  １０１は、最後に存在していたシステム（すなわち、システム１０２）に関係する情報を基地局（ＢＳ）１０３ｂに送信する。これにより、ＢＳ  １０３ｂは自身のデータベースを更新する。
【０００７】
図２は、ＢＳ  １０２ｂとＵＥ  １０１の間の情報交換の処理フロー図である。説明を簡潔にするために単一ＵＥに関する処理を示したが、複数のＵＥが同時にＢＳ  １０２ｂと相互作用することも可能である。ＵＥからＢＳ、およびＢＳからＵＥに送られるシステム情報には、ＵＥの地理的位置、新しいシステム、ネットワークの輻輳、ネットワーク検知障害などの情報が含まれ、これらに限定されない。
【０００８】
ＵＥ−Ｓ１では、ＵＥ  １０１が、たとえば、ネットワーク１０４に関連する情報を取得する。ステップＵＥ−Ｓ２では、ＵＥ  １０１が自身のＩＤをＢＳ  １０２ｂに送信する。ステップＢＳ−Ｓ１では、ＢＳ  １０２ｂがＵＥ  １０１のＩＤを受信する。ＢＳ−Ｓ２では、ＢＳ  １０２がまず、ＵＥ  １０１のＩＤを認証する。これにより、ＢＳ  １０２ｂは、悪意のあるＵＥからは他のシステムの情報を受け付けない。次に、ステップＵＥ−Ｓ２では、ＵＥ  １０１が、その認証に応答して、保全性のための保護エンコードを情報に施し、ステップＵＥ−Ｓ３では、ＵＥ  １０１が、保護した情報をＢＳ  １０２ｂに送信する。保護エンコードの好ましい一方法は、メッセージ認証コードを介する方法である。情報を盗聴から保護するために、暗号化を用いることもできる。ステップＢＳ−Ｓ３では、ＢＳ  １０２ｂが情報の保全性を検査する。ステップＢＳ−Ｓ４では、ＢＳ  １０２ｂが情報を受け入れ、自身のデータベースを更新する。この時点でＢＳ  １０２ｂは自身のデータベースの更新を完了し、ステップＢＳ−Ｓ５では、ＢＳ  １０２ｂが隣接システム１０３〜１０５と一定間隔またはトリガされた時点で通信して、ＵＥ  １０１から受信した情報更新の妥当性を検査することができる。必要に応じて、ステップＢＳ−Ｓ６でデータベースを訂正する。
【０００９】
ステップＢＳ−Ｓ７で、ＢＳ  １０２ｂが事前対応の役割を担い、ＵＥ  １０１にその周辺のシステムについて知らせることによって、システムの効率を向上させることができる。したがって、ＵＥ  １０１は、自身が存在するシステムがＢＳ  １０２ｂから提供されているリストにあれば、何も情報を送信する必要がない。これにより、複数のＵＥが同様の情報を送信することによる無線トラフィックが減る。
【００１０】
各ＢＳに記憶されているこのデータベースは、追加ネットワークの配備時に、セルの再計画およびシステムの中断のために使用される。たとえば、解体されたＷＬＡＮに重なっているＵＭＴＳシステムを考える。ＵＭＴＳ基地局に集まっている情報は、そのエリアのＷＬＡＮネットワークの計画に使用される。システム１０２は、様々なＵＥが他のシステム（たとえば、システム１０３）に関して通信するときに、それらのＵＥの地理的位置を取得する。オペレータは、システム１０３について報告してきた各ＵＥの地理的位置から、システム１０３のカバレージを見積もることができる。この概略カバレージエリアを用いて、システム１０３のカバレージホールをふさいだり、システム１０３の将来の配備を計画したりできる。
【図面の簡単な説明】
【００１１】
【図１】本発明の技法と原理を大いに効果的に用いることが可能な、複数の無線システムとその無線システムにおける端末を簡略化して示した図である。
【図２】本発明の原理とそのようなシステムを実装する方法を説明するのに便利なフロー図である。
【図１】
2005531982.tif 000003
【図２】
2005531982.tif 000004
【国際調査報告】
2005531982.tif 000005